(57)【要約】      （修正有）【課題】置柵などのフェンスに事後的に取り付けてフェンスの倒れを抑止可能なフェンス用ストッパを提供する。【解決手段】本体部１０と脚部２０と備えたフェンスＡに取り付けて使用するフェンス用ストッパＢであって、長尺形状を呈する長尺部３０と、長尺部３０の一端側に設けて本体部１０に取り付け可能な取付部４０と、長尺部３０の他端側に設け取付部４０を本体部１０に取り付けてある状態で、脚部２０の回動を遮る位置へと配する規制部５０と、を少なくとも具備する。【選択図】図１
0003212560.tif 000002
【実用新案登録請求の範囲】
【請求項１】
壁面を構成する本体部と、該本体部から下方に配置した一組の脚部であって、該脚部の延伸方向を前記本体部の壁面方向に対して平行又は直交自在とするように回動可能とした脚部と、を少なくとも備えたフェンスに取り付けて使用する、フェンス用ストッパであって、
長尺形状を呈する、長尺部と、
前記長尺部の一端側に設け、前記本体部に取り付け可能な、取付部と、
前記長尺部の他端側に設け、前記取付部を前記本体部に取り付けてある状態で、前記脚部の回動を遮る位置へと配する、規制部と、
を少なくとも具備することを特徴とする、
フェンス用ストッパ。
【請求項２】
前記長尺部に、前記取付部を前記本体部に取り付けてある状態で前記脚部側のみに折曲可能な、折曲部を設けてあることを特徴とする、
請求項１に記載のフェンス用ストッパ。
【請求項３】
前記規制部の周囲に、ゴム製の被覆部を設けてあることを特徴とする、
請求項１または２に記載のフェンス用ストッパ。
【考案の詳細な説明】
【技術分野】
【０００１】
本考案は、置柵などのフェンスに取り付けて、フェンスの倒れを防止するためのストッパに関する。
【背景技術】
【０００２】
従来のフェンスの中には、壁面を構成する本体部と、該本体部から下方に配置し、本体部を構成する縦枠の軸方向を回転軸として回動可能な脚部とを備えたものがある。
このフェンスは、保管時には脚部を本体部の壁面方向と略並行とするように回動しておき、使用時には脚部を該本体部の壁面方向と略直交とするように回動させることで、設置面にフェンスを自立可能に構成している。
【考案の概要】
【考案が解決しようとする課題】
【０００３】
このフェンスをコンサートや展示会などの人の通行量が多い場所での置柵として使用する場合、通行人の足が脚部にあたって脚部が回転してしまい、フェンスの自立状態が解かれて予期せず倒れてしまうことがあった。
そこで、現状では、この本体部と脚部との回動を規制するために脚部を床にテープで仮止めするなどの対策が取られていたものの、当該対策は、作業員の負担が生じるだけでなく、床をテープの糊で汚してしまうなどの問題もあった。
【０００４】
よって、本考案は、置柵などのフェンスに事後的に取り付けて、フェンスの倒れを抑止可能な手段の提供を目的とする。
【課題を解決するための手段】
【０００５】
上記課題を解決すべくなされた本願の第１考案は、壁面を構成する本体部と、該本体部から下方に配置した一組の脚部であって、該脚部の延伸方向を前記本体部の壁面方向に対して平行又は直交自在とするように回動可能とした脚部と、を少なくとも備えたフェンスに取り付けて使用する、フェンス用ストッパであって、長尺形状を呈する、長尺部と、前記長尺部の一端側に設け、前記本体部に取り付け可能な、取付部と、前記長尺部の他端側に設け、前記取付部を前記本体部に取り付けてある状態で、前記脚部の回動を遮る位置へと配する、規制部と、を少なくとも具備することを特徴とする。
また、本願の第２考案は、前記第１考案において、前記取付部を前記本体部に取り付けてある状態で前記脚部側のみに折曲可能な、折曲部を設けてあることを特徴とする。
また、本願の第３考案は、前記第１考案または第２考案において、前記規制部の周囲に、ゴム製の被覆部を設けてあることを特徴とする。
【考案の効果】
【０００６】
本考案によれば、以下に記載する効果を奏する。
（１）フェンスの自立状態を維持することができる。
簡易な構造のストッパをフェンスに取り付けるだけで、容易にフェンスの自立状態を維持することができる。
（２）既存のフェンスを流用できる。
脚部の回動ロック機構などを設けた新たなフェンスを製作する必要がななく、既存のフェンスを流用して付加価値を高めることができる。
（３）取付部の取付位置の高低に対応できる。
折曲部による折曲角度の調整によって、取付部の取付位置から設置面までの高さの違いに対応することができる。
（４）フェンスのすべり移動を抑制できる。
規制部に被覆部を設けておくことで、フェンスの前後左右のすべり動作も抑制できる。
【図面の簡単な説明】
【０００７】
【図１】本考案に係るフェンス用ストッパの取付状態および構造を示す概略図。
【考案を実施するための形態】
【０００８】
以下、図面を参照しながら、本考案の実施例について説明する。
【実施例】
【０００９】
＜１＞フェンス
図１に示すフェンスＡは、本体部１０と、脚部２０とを少なくとも備えている。
本実施例では、本体部１０および脚部２０を、内側を金属、外側をプラスチックとした二重構造を呈する管材１１と、管材同士を連結可能なジョイント材１２とを適宜組み合わせて構成している。
【００１０】
＜１．１＞本体部
本体部１０は、前記管材１１を縦材１１ａまたは横材１１ｂとして連結することで壁面を構成している。
【００１１】
＜１．２＞脚部
脚部２０は、本体部１０の側縁を構成する縦材１１ａから下方に延伸するように二箇所配置しており、その底端を前記延伸方向から略直角に折曲してなる略Ｔ字形状としている。
脚部２０の底端は、本体部１０の側縁を構成する縦材１１ａの軸方向を回転軸２１として回動自在に構成している。
【００１２】
＜２＞フェンス用ストッパ
フェンス用ストッパＢは、フェンスＡに取り付ける部材であり、一端を本体部１０を構成する横材１１ｂに取付け、他端を脚部２０に近接配置して使用する。
本考案に係るフェンス用ストッパは、長尺部３０、取付部４０および規制部５０を少なくとも具備して構成する。
以下、各構成要素の詳細について説明する。
【００１３】
＜２．１＞長尺部
長尺部３０は、長尺形状を呈する要素である。
長尺部３０の各端部には、後述する取付部４０または規制部５０を設ける。
長尺部３０は、プラスチック製の管材や、前記本体部で用いる二重構造の管材などを用いる事ができる。
【００１４】
＜２．１．１＞折曲部
本実施例では、長尺部３０の途上に、該長尺部の軸方向を変位可能な折曲部３１を設けて、該折曲部３１を挟んでもうけた上片部３０ａと下片部３０ｂとを折曲可能に構成している。
この折曲部による折曲角度の調整によって、取付部４０を取り付ける横材１０ｂから設置面までの高さの違いに対応することができる。
すなわち、取付部４０を取り付ける横材１０ｂから設置面までの高さが高いほど、取付部４０は脚部２０側に近い位置で取り付けられ、折曲部３１の折曲角度は小さくなる。
本実施例では、折曲部３１を、前記長尺部３０を構成する上片部３０ａおよび下片部３０ｂを連結可能な金属製のヒンジ部材で構成している。
このヒンジ部材に設けるヒンジ軸３１１は、長尺部３０の軸心からやや外側に偏位する位置に設けてある。
当該構造とすることで、長尺部３０の折曲方向を脚部２０側への一方向のみに規制している。
【００１５】
＜２．２＞取付部
取付部４０は、長尺部３０の一端側に設ける要素である。
取付部４０は、本体部１０の下枠を構成する横材１１ｂに取り付けるための公知の取付機構を有する。
公知の取付機構には、横材１１ｂの外径よりもやや小さな内径を有するようにして、取付部４０を下方から押し込んで嵌め込む態様や、横材１１ｂを収容したのちに、当該収容部分をネジによる螺合や係止具などの縮径によって強固に把持する、クランプ式の態様などを用いることができる。
【００１６】
＜２．３＞規制部
規制部５０は、長尺部３０の他端側に設けて、脚部２０の回動を遮るための要素である。
【００１７】
＜２．３．１＞規制部の形状・配置箇所
規制部５０は、自立状態のフェンスＡにおいて、脚部２０の回動を遮ることが可能であれば、如何なる形状、配置形態を採用することができる。
本実施例では、規制部５０は、長尺部３０を構成する下片部３０ｂから、Ｔ字型のジョイントを介して、本体部１０の壁面の前背面側へと延伸する管材でもって構成している。
また本実施例では、規制部５０を脚部２０にほぼ隣接した態様としてあるが、隙間を設けた態様で配置してもよい。フェンスの自立状態が解かれない程度であれば、当該隙間の部分だけ脚部２０が回転しても、フェンスＡの倒れを防止できる効果を得られる点に変わりは無いからである。
【００１８】
＜２．３．２＞被覆部
規制部５０の解放端側の周囲には、管材よりも摩擦係数の高い部材（ゴムなど）で被覆した被覆部５１を設けておくと、脚部２０の回転だけでなくフェンスＡの前後左右のすべりを制限できる点で好ましい。
【００１９】
＜３＞使用例
コンサートや展示会などの各種イベント会場において、イベントの設営前には、フェンスＡを構成する一組の脚部２０の底端の延伸方向を、本体部１０の壁面方向と略平行な状態となるように回転させておしておくことで、フェンスＡを隙間無く重ね合わせて保管している。
フェンスＡを設置する際には、脚部２０の延伸方向を本体部１０の壁面方向と略直交とする状態とするように回転させた状態でフェンスＡを設置し自立させる。
フェンスＡの設置作業の事前、事後または並行して、本考案に係るフェンス用ストッパＢをフェンスＡを構成する本体部１０に取付け、規制部５０を脚部２０の近傍に配置するように位置調整する。
この状態であれば、脚部２０に通行人の脚があたるなどしても、規制部５０によって脚部２０の回転が遮られることとなり、フェンスＡが倒れることはない。
【符号の説明】
【００２０】
Ａ      フェンス
１０    本体部
１１    管材
１１ａ  縦材
１１ｂ  横材
１２    ジョイント材
２０    脚部
２１    回転軸
３０    長尺部
３０ａ  上片部
３０ｂ  下片部
３１    折曲部
３１１  ヒンジ軸
４０    取付部
５０    規制部
５１    被覆部
【図１】
0003212560.tif 000003